(57)【要約】【課題】傷が生じた壁面を容易に補修することができる壁面補修方法及び当該壁面補修方法に用いる壁面補修治具を提供する。【解決手段】開口窓１１を有する壁切り抜き用位置決め具３を用いることで、傷の位置を把握した状態で壁面に壁切り抜き線を描くことができる、すなわち矩形穴の形成位置を位置決めすることができるため、矩形穴の形成位置の位置決めが容易であるし、必要以上に大きく壁を切り抜いたりすることもない。さらに、矩形穴を埋める石膏ボードとしては、壁切り抜き用位置決め具と同じ大きさのものを予め準備しておけばよく、壁面補修作業を容易且つ迅速に行うことができる。【選択図】図２
2012225125.tif 000002
【特許請求の範囲】
【請求項１】
表面に壁紙が取り付けられた壁面に傷が生じた際、前記壁面を補修するための壁面補修方法であって、
前記壁面の補修に用いる方形板状の壁面補修治具から、中央に開口窓を有する方形板状の壁切り抜き用位置決め具を切り外し、該壁切り抜き用位置決め具と、前記壁切り抜き用位置決め具が切り外されたことによって中央に方形状の開口が開設されたフレーム状の壁紙切り取り用位置決め具とに分解する第１工程と、
前記壁切り抜き用位置決め具を前記壁面に当接させて前記開口窓内に前記傷全体を露出させ、その姿勢において前記壁切り抜き用位置決め具の外周に沿って前記壁面に壁切り抜き線を描く第２工程と、
前記壁切り抜き線に沿って壁を切り抜き、前記壁面に矩形穴を形成する第３工程と、
前記壁紙切り取り用位置決め具を前記壁面に当接させて前記開口内に前記矩形穴全体を露出させ、その姿勢において前記壁紙切り取り用位置決め具の外周に沿って前記壁面に壁紙切り取り線を描く第４工程と、
前記壁紙切り取り線に沿って前記壁紙を剥がし、前記壁の裸面を露出させる第５工程と、
前記矩形穴内を板状部材によって埋め、前記板状部材の表面にパテを塗って前記裸面と面一にした後、新たな壁紙を貼着することにより前記パテ及び前記裸面の表面を被覆する第６工程と
を実行することを特徴とする壁面補修方法。
【請求項２】
請求項１に記載の壁面補修方法により壁面を補修する際に使用する方形板状に形成された壁面補修治具であって、
中央に開口窓を有する方形板状の壁切り抜き用位置決め具が切り外し可能に設けられており、前記壁切り抜き用位置決め具を切り外すことにより、前記壁切り抜き用位置決め具と、中央に方形状の開口が開設されたフレーム状の壁紙切り取り用位置決め具とに分解可能であることを特徴とする壁面補修治具。
【発明の詳細な説明】
【技術分野】
【０００１】
本発明は、たとえば壁面に傷が生じた際にその傷を取り除いて壁面を補修するための壁面補修方法、及び当該壁面補修方法に用いる壁面補修治具に関するものである。
【背景技術】
【０００２】
従来、壁面に傷が生じた（たとえば穴が空いた等）際に当該壁面を補修する壁面補修方法としては、たとえば特許文献１に記載されているようなパテを傷へ塗り込んで壁面を補修するといった方法が一般的となっている。また、たとえば特許文献２に記載されているようなシート部材を用いて、壁面を補修する方法も考案されている。
【先行技術文献】
【特許文献】
【０００３】
【特許文献１】実開平６−８３８６２号公報
【特許文献２】特開２００３−２０６６１２号公報
【発明の概要】
【発明が解決しようとする課題】
【０００４】
上記傷へパテを埋め込む方法では、傷が大きすぎると、傷へ直接パテを塗り込むのではなく、傷を含んだ方形状に壁面を切り抜いて、その切り抜き面内に板状部材を取り付け、該板状部材の表面にパテを塗りつけて壁面と面一にした方が外観が美しく仕上がる場合がある。しかしながら、従来では、壁面を切り抜く際の印となる壁切り抜き線を壁面へ描くための使い勝手のよい部材がなかった。そこで、ただの板を壁面へ押し当て、その板の外周に沿って壁切り抜き線を描く等していたが、傷が板のどのあたりに位置するのか判別しにくいため、壁面を必要以上に大きく切り抜いてしまうような場合もあり、作業が煩わしかった。一方、特許文献２に記載されているような特殊なシート部材を用いなければならないと、そのようなシート部材を常備しているわけではない一般家庭において手軽に補修することができないという問題がある。
【０００５】
そこで、本発明は、上記問題に鑑みなされたものであって、傷が生じた壁面を容易に補修することができる壁面補修方法及び当該壁面補修方法に用いる壁面補修治具を提供しようとするものである。
【課題を解決するための手段】
【０００６】
上記目的を達成するために、本発明のうち請求項１に記載の発明は、表面に壁紙が取り付けられた壁面に傷が生じた際、前記壁面を補修するための壁面補修方法であって、前記壁面の補修に用いる方形板状の壁面補修治具から、中央に開口窓を有する方形板状の壁切り抜き用位置決め具を切り外し、該壁切り抜き用位置決め具と、前記壁切り抜き用位置決め具が切り外されたことによって中央に方形状の開口が開設されたフレーム状の壁紙切り取り用位置決め具とに分解する第１工程と、前記壁切り抜き用位置決め具を前記壁面に当接させて前記開口窓内に前記傷全体を露出させ、その姿勢において前記壁切り抜き用位置決め具の外周に沿って前記壁面に壁切り抜き線を描く第２工程と、前記壁切り抜き線に沿って壁を切り抜き、前記壁面に矩形穴を形成する第３工程と、前記壁紙切り取り用位置決め具を前記壁面に当接させて前記開口内に前記矩形穴全体を露出させ、その姿勢において前記壁紙切り取り用位置決め具の外周に沿って前記壁面に壁紙切り取り線を描く第４工程と、前記壁紙切り取り線に沿って前記壁紙を剥がし、前記壁の裸面を露出させる第５工程と、前記矩形穴内を板状部材によって埋め、前記板状部材の表面にパテを塗って前記裸面と面一にした後、新たな壁紙を貼着することにより前記パテ及び前記裸面の表面を被覆する第６工程とを実行することを特徴とする。
また、上記目的を達成するために、本発明のうち請求項２に記載の発明は、請求項１に記載の壁面補修方法により壁面を補修する際に使用する方形板状に形成された壁面補修治具であって、中央に開口窓を有する方形板状の壁切り抜き用位置決め具が切り外し可能に設けられており、前記壁切り抜き用位置決め具を切り外すことにより、前記壁切り抜き用位置決め具と、中央に方形状の開口が開設されたフレーム状の壁紙切り取り用位置決め具とに分解可能であることを特徴とする。
【発明の効果】
【０００７】
本発明によれば、壁面を切り抜くための壁切り抜き線を描くにあたって、壁切り抜き用位置決め具を壁面に当接させて開口窓内に傷全体を露出させ、その姿勢において壁切り抜き用位置決め具の外周に沿って壁切り抜き線を描くため、傷の位置を把握した状態で壁面に壁切り抜き線を描くことができる。すなわち、傷の位置を把握した状態で矩形穴の形成位置を位置決めすることができる。したがって、矩形穴の形成位置の位置決めが容易であるし、必要以上に大きく壁を切り抜いたりすることもない。
また、壁紙を剥がすための壁紙切り取り線を描くにあたっても、同様に矩形穴の位置を把握した状態で壁紙切り取り線を描くことができるため、必要以上に広い範囲で壁紙を剥がしてしまうことがない。さらに、壁紙を剥がしてから矩形穴を板状部材によって埋めたり、パテを塗ったりするため、当該作業時に壁紙を傷つけるおそれがなく、作業性の向上を図ることができる。
さらにまた、矩形穴を埋める板状部材としては壁切り抜き用位置決め具と同じ大きさのものを、新たに貼着する壁紙としては壁紙切り取り用位置決め具と同じ大きさのものを夫々予め準備しておけばよく、壁面補修作業を容易且つ迅速に行うことができる。
加えて、壁面補修治具は、壁紙切り取り用位置決め具に対して壁切り抜き用位置決め具を切り外し可能に設けてなる１部材として構成されているため、部材の管理や運搬に係る手間を軽減することができるし、該壁面補修治具を用いることで、壁面を補修する際に、特殊なシート部材を用いる必要もないため、一般家庭においても手軽に壁面の補修を行うことができる。
【図面の簡単な説明】
【０００８】
【図１】壁面補修治具を正面から示した説明図である。
【図２】壁面補修治具を分解して示した説明図であって、（ａ）は壁紙切り取り用位置決め具であり、（ｂ）は壁切り抜き用位置決め具である。
【図３】壁面の補修作業を示した説明図である。
【図４】壁面の補修作業を示した説明図である。
【図５】壁面の補修作業を示した説明図である。
【図６】壁面の補修作業を示した説明図である。
【発明を実施するための形態】
【０００９】
以下、本発明の一実施形態となる壁面補修方法及び壁面補修治具について、図面にもとづき詳細に説明する。
【００１０】
図１は、壁面補修治具１を正面から示した説明図であり、図２は、壁面補修治具１を分解して示した説明図であって、（ａ）は壁紙切り取り用位置決め具２であり、（ｂ）は壁切り抜き用位置決め具３である。
壁面補修治具１は、厚さ３ｍｍの段ボール紙を一辺２６ｍｍの正方形状に形成してなる。該壁面補修治具１の中央には、一辺１５ｍｍの正方形状の壁切り抜き用位置決め具３が切り外し可能に設けられており、当該壁切り抜き用位置決め具３を切り外すことによって、周囲のフレーム部が壁紙切り取り用位置決め具２として機能するようになっている。また、壁切り抜き用位置決め具３の中央部分には、開口窓１１が直径７ｍｍの円形に開設されている。尚、１５は、壁切り抜き用位置決め具３を切り外したことによって、壁紙切り取り用位置決め具３の中央に形成された正方形状の開口である。
【００１１】
ここで、壁面補修治具１を用いた壁面補修方法について、図３〜図６にしたがい説明する。
まず、図３（ａ）に示すように、壁面に穴２１が生じると、壁面補修治具１から壁切り抜き用位置決め具３を切り外し、図３（ｂ）に示すように、該壁切り抜き用位置決め具３を壁面に当接させて開口窓１１内に穴２１を露出させる。そして、図４（ａ）に示すように、鉛筆等を用い、上記姿勢にある壁切り抜き用位置決め具３の外周に沿って壁面に正方形状の壁切り抜き線２２を描き、図４（ｂ）に示すように、鋸等を用い壁切り抜き線２２に沿って壁を切り抜く。尚２３は、切り抜かれたことにより壁面に形成された矩形穴である。
【００１２】
次に、図５（ａ）に示すように、壁紙切り取り用位置決め具２を壁面に当接させて、開口１５内に矩形穴２３全体を露出させる。そして、図５（ｂ）に示すように、鉛筆等を用い、上記姿勢にある壁紙切り取り用位置決め具２の外周に沿って壁面に正方形状の壁紙切り取り線２４を描き、図６（ａ）に示すように、壁紙切り取り線２４に沿って壁紙を剥がす。すると、次のパテを塗り込む作業のために十分で且つ必要以上に広くはない範囲の壁紙が剥がされることになる。尚、２５は、壁紙を剥がされた状態にある壁の裸面である。
【００１３】
その後、矩形穴２３内に図示しない下地材を取り付けた後、図６（ｂ）に示すように、矩形穴２３と略同じサイズ（すなわち一辺１５ｍｍの正方形）の石膏ボード２６を矩形穴２３内に嵌め込んで下地材に固定し、矩形穴２３を埋める。そして、石膏ボード２６の表面にパテを塗って、裸面２５とパテの表面とを面一とし、表面を乾燥させてから磨いて仕上げた後、新たな壁紙を貼着することにより裸面２５及びパテの表面を被覆すれば壁面の補修は完了となる。
【００１４】
以上のような構成を有する壁面補修治具１を用いた壁面補修方法によれば、開口窓１１を有する壁切り抜き用位置決め具３を用いることで、穴２１の位置を把握した状態で壁面に壁切り抜き線２２を描くことができる、すなわち矩形穴２３の形成位置を位置決めすることができるため、矩形穴２３の形成位置の位置決めが容易であるし、必要以上に大きく壁を切り抜いたりすることもない。さらに、矩形穴２３を埋める石膏ボード２６としては、壁切り抜き用位置決め具３と同じ大きさのものを予め準備しておけばよく、壁面補修作業を容易且つ迅速に行うことができる。
【００１５】
また、壁紙切り取り用位置決め具２を用いることで、壁紙切り取り線２４を描くにあたっても、同様に矩形穴２３の位置を把握した状態で壁紙切り取り線２４を描くことができるため、必要以上に広い範囲で壁紙を剥がしてしまうことがない。加えて、矩形穴２３を中心とした周囲に正方形状の裸面２５を形成することにより、下地材を取り付けたりする際に壁紙を傷つけてしまったりするおそれがなく、作業性の向上を図ることができるし、最後に貼り付ける壁紙の大きさは壁面補修治具１と略同じ大きさとなるため、予め準備しておきやすく、壁面補修作業を容易且つ迅速に行うことができる。
【００１６】
さらに、壁面補修治具１は、壁紙切り取り用位置決め具２に対して壁切り抜き用位置決め具３を切り外し可能に設けてなる１部材として構成されているため、部材の管理や運搬に係る手間を軽減することができる。
加えて、壁面を補修する際に、特殊なシート部材を用いる必要もないため、一般家庭においても手軽に壁面の補修を行うことができる。
【００１７】
なお、本発明に係る壁面補修方法及び壁面補修治具は、上記実施形態の態様に何ら限定されるものではなく、壁面補修治具の構成や壁面を補修する際に用いるものに係る構成等を、本発明の趣旨を逸脱しない範囲で、必要に応じて適宜変更することができる。
【００１８】
たとえば、上記実施形態では、壁面補修治具を段ボール紙により形成しているが、段ボール紙の代わりに合成樹脂を方形板状に成形したものを採用することも可能である。
また、壁切り抜き用位置決め具を壁紙切り取り用位置決め具から切り外し可能としているが、切り外した後に再び壁紙切り取り用位置決め具に取付可能とする（たとえば、壁切り抜き用位置決め具の外周縁部に係止爪を突設する一方、壁紙切り取り用位置決め具の開口縁部に係止孔を設け、係止爪を係止孔へ係止させることにより取付可能とする等）、すなわち壁切り抜き用位置決め具を壁紙切り取り用位置決め具に対して着脱自在に構成することも可能である。
【００１９】
さらに、上記実施形態では、壁面を補修するに際して矩形穴に石膏ボードを埋め込むとしているが、石膏ボードの代わりに木製の板状部材を採用することも可能であり、矩形穴を埋めるための部材の材質については適宜変更可能である。
加えて、壁面補修治具の寸法や開口窓の形状等については、言うまでもなく適宜設計変更可能であり、壁面補修治具や壁抜き取り用位置決め具を正方形でなく長方形としても何ら問題はない。
【符号の説明】
【００２０】
１・・壁面補修治具、２・・壁紙切り取り用位置決め具、３・・壁切り抜き用位置決め具、１１・・開口窓、１５・・開口、２１・・穴（傷）、２２・・壁切り抜き線、２３・・矩形穴、２４・・壁紙切り取り線、２５・・裸面、２６・・石膏ボード（板状部材）。
【図１】
2012225125.tif 000003
【図２】
2012225125.tif 000004
【図３】
2012225125.tif 000005
【図４】
2012225125.tif 000006
【図５】
2012225125.tif 000007
【図６】
2012225125.tif 000008